(57)【要約】【課題】特に縦寸法に較べて横寸法の大きいタイルであっても、裏面の溝部内でタイル張付け材である張り付けモルタル及び空気の流動性をよくして、モルタルの均一且つ密な充填が可能となり、接着強度が大きく、剥がれにくくする。【解決手段】上縁５に最も近い最上部横溝１１から上縁のみに開口する、左上縁縦溝１６及び右上縁縦溝１７と、下縁７に最も近い最下部横溝１３から下縁のみに開口し、左上縁縦溝１６及び右上縁縦溝１７から横方向にずれて形成された左下縁縦溝１８及び右下縁縦溝１９とを形成し、左上縁縦溝１６及び左下縁縦溝１８は、それぞれ横中央線Ｘより左側に形成されており、右上縁縦溝１７及び右下縁縦溝１９は、それぞれ横中央線Ｘより右側に形成されている。【選択図】図１
2010047915.tif 000002
【特許請求の範囲】
【請求項１】
上縁、左側縁、下縁及び右側縁で囲まれ、外形が、上下方向である縦方向より左右方向である横方向に長い長方形であり、裏面にタイル張付け材が充填される溝部が形成されたタイルであって、前記溝部は、
横方向に直線的に延び、縦方向に間隔おいて互いに平行に形成され、横方向の両端において左側縁及び右側縁にそれぞれ開口した複数本の横溝と、
上縁に最も近い最上部横溝から上縁のみに開口する、左上縁縦溝及び右上縁縦溝と、下縁に最も近い最下部横溝から下縁のみに開口し、左上縁縦溝及び右上縁縦溝から横方向にずれて形成された左下縁縦溝及び右下縁縦溝と、を有し、
タイルの横方向中央を通り複数の横溝に直交する線を横中央線とした場合に、
左上縁縦溝及び左下縁縦溝は、それぞれ横中央線より左側に形成されており、右上縁縦溝及び右下縁縦溝は、それぞれ横中央線より右側に形成されていることを特徴とするタイル。
【請求項２】
上縁、左側縁、下縁及び右側縁で囲まれ、外形が、上下方向である縦方向より左右方向である横方向に長い長方形であり、裏面にタイル張付け材が充填される溝部が形成されたタイルであって、前記溝部は、
横方向に直線的に延び、縦方向に間隔おいて互いに平行に形成され、横方向の両端において左側縁及び右側縁にそれぞれ開口した複数本の横溝と、
上縁に最も近い最上部横溝から上縁のみに開口する、左上縁縦溝及び右上縁縦溝と、下縁に最も近い最下部横溝から下縁のみに開口し、左上縁縦溝及び右上縁縦溝から横方向にずれて形成された左下縁縦溝及び右下縁縦溝と、を有し、
タイルの横方向中央を通り複数の横溝に直交する線を横中央線とした場合に、
左上縁縦溝及び左下縁縦溝は、それぞれ横中央線より左側に形成されており、右上縁縦溝及び右下縁縦溝は、それぞれ横中央線より右側に形成されており、左上縁縦溝と右下縁縦溝は互いに横中央線を中心として左右対称位置に形成されており、右上縁縦溝と左下縁縦溝は互いに横中央線を中心として左右対称位置に形成されていることを特徴とするタイル。
【請求項３】
最上部横溝と次に上縁に近い次位上部横溝とのみを互いに縦方向に連通する左上部次位縦溝及び右上部次位縦溝と、最下部横溝と次に下縁に近い次位下部横溝とのみを互いに縦方向に連通し、左上部次位縦溝及び右上部次位縦溝から横方向にずれて形成された左下部次位縦溝及び右下部次位縦溝と、を有し、
左上部次位縦溝及び左下部次位縦溝は、それぞれ横中央線より左側に形成されており、右上部次位縦溝及び右下部次位縦溝は、それぞれ横中央線より右側に形成されていることを特徴とする請求項１又は２記載のタイル。
【請求項４】
左上部次位縦溝と右下部次位縦溝は互いに横中央線を中心として左右対称位置に形成されており、右上部次位縦溝と左下部次位縦溝は互いに横中央線を中心として左右対称位置に形成されていることを特徴とする請求項３記載のタイル。
【請求項５】
タイルの縦方向中央を通り複数の横溝と平行する線を縦中央線とした場合に、
縦中央線を挟んで最も近くの上下の位置に形成された２本の横溝のみを互いに縦方向に連通する左中部縦溝及び右中部縦溝と、を有し、
左中部縦溝と右中部縦溝は、互いに横中央線を中心として左右対称位置に形成されていることを特徴とする請求項１〜４のいずれか記載のタイル。
【発明の詳細な説明】
【技術分野】
【０００１】
本発明は、タイルに関し、特に建物等の躯体外面に外装のために貼り付けられる外装用のタイルに関する。
【背景技術】
【０００２】
建物の躯体に張り付けるタイルは、通常、その裏面に溝部が形成されており、この溝部内にモルタルを充填し、建物の躯体外面に充填したモルタルを介して貼り付けられる。
【０００３】
このようにモルタルを充填するためにタイルの裏面に形成される溝部としては、タイルの横方向（タイルの長辺の延びる方向）に延びる互いに平行な複数本の溝部が形成された構成が、従来から使用され一般的である。
【０００４】
ところで、建物の躯体に張り付けるタイルは、風雨、太陽光の熱等に曝されるというような過酷な気象条件下で利用されるので、そのような気象条件下でも十分な強度でモルタルを介して接着されている必要がある。また、近年、大小の地震が頻発しているが、そのような地震があっても剥がれ落ちるようなことなく、十分な強度でモルタルを介して接着されている必要がある。
【０００５】
そのような必要性から、従来、いくつかの提案がすでになされている。例えば、タイル本体の裏面側に、タイルの横方向に延びる互いに平行に形成した複数の溝を形成し、その凹部と凸部の面積比を、コンクリートやモルタルの間での付着強度を高くなるように形成された構成が知られている（特許文献１参照）。
【０００６】
また、裏面及び／または側面に溝の形成された複数のタイルを、互いに連結材によって接合することで、ビルディングの駆体との接着性を向上させる構成が知られている（特許文献２参照）。
【０００７】
また、タイルの横方向に設けた複数の溝に直交する糸嵌入溝を形成し、この糸嵌入溝に糸を嵌入して一群のタイルを連結することで剥離を防止する構成が知られている（特許文献３参照）。
【０００８】
また、タイルの裏面に複数の独立した突起を有し、突起の少なくとも全周に、固化材を流動させる交差溝を有するように形成することで、タイル裏面へのモルタルの充填性を向上させてタイルの剥離を防止する構成が知られている（特許文献４参照）。
【０００９】
【特許文献１】特開平１１−８１６２２号公報
【特許文献２】特開２００１−３２３６３５号公報
【特許文献３】特開平１０−３１７６３７号公報
【特許文献４】特開２０００−３４５６８６号公報
【発明の開示】
【発明が解決しようとする課題】
【００１０】
裏面にタイルの横方向（タイルの長辺の延びる方向）に延びる互いに平行に形成された複数本の溝を備えたタイルは、接着用のモルタルが溝に充填され、横方向に長い接着部が形成されるが、このような横方向のみに長い接着は、上下左右方向（上下方向及び剪断方向）等に生じる地震等の外力に対しては、必ずしも十分な強度を有するものではない。
【００１１】
また、タイルの裏面に横方向に延びる互いに平行に形成された複数本の溝を備えたタイルでは、モルタルを溝内に充填して外壁に貼り付ける際に、溝内に残存した空気はモルタルが溝の長手方向に充填されているので、溝から外へ逃がしにくい。特に、タイル裏面の中央部では、開口までの距離が長いために空気が残留すると溝から外部へ逃げにくくなる。
【００１２】
そのために、接着後のモルタル内に空気が残存し、溝内にモルタルが均等に充填されなかったり、また密に充填されない箇所が生じ、モルタルによる接着面積が少なくなるので、必ずしも十分な接着強度が得られず、タイルの剥がれが生じることがある。
【００１３】
ところで、陶磁器質を材料としたタイルのプレスによる製造は、通常、プレスによって製造するが、特許文献４のようのような構成では、タイルの裏面に複数の独立した突起を有し、突起の少なくとも全周に、固化材を流動させる交差溝を有するような構成は、プレス型が複雑となり、プレスによって正確に交差溝も形成することも難しいものと考えられる。なお、特許文献４では、型抜して形成するか、別途突起を取り付けるという点が記載されている。
【００１４】
また、特許文献４のような構成では交差溝が全裏面にわたって形成され、且つ交差溝の裏面全体の面積に占める割合が多くなるために、タイル本体の厚さを薄くすると強度上問題が生じるものと考えられ、従って、タイル全体の厚さを強度を下げない程度十分大きくする必要がある。
【００１５】
ところで、本発明者は、タイル裏面の溝部が、タイルの長手方向に直線的に延び、上下方向に間隔おいて互いに平行に形成され、長手方向の両端において左側縁及び右側縁にそれぞれ開口した複数本の横溝と、複数本の横溝の全てではなく、複数本の横溝のうち一部の複数本の横溝を選択的に組み合わせた横溝の複数のグループについて、各グループを構成する複数本の横溝を互いに連通する複数の縦溝とを有するタイルについて、考案及び発明をすでに提案している（実願２００８−４７３１号、特願２００８−１７６６８９号参照）。
【００１６】
しかしながら、タイルの横幅（タイルの横方向の長さ、即ち、タイルの長辺の長さ）が比較的大きいタイル、即ち、比較的長細いタイルとなると、横方向のタイル張付け材の流動、空気の流れが十分ではなくなり、上縁及び下縁へそれぞれ開口する縦溝、並びに隣接する横溝を互いに連通する縦溝の数、配置にさらに改良が必要であるという知見を得た。
【００１７】
本発明は、従来のタイルの上記のような問題を解決することを目的とするものであり、特に、タイルの横幅が比較的大きい長細いタイルについて、その裏面の溝部の構造が簡単で、プレスによる製造し易い構成を前提とした上で、タイル張付け材（タイルをタイル下地に張り付けるための接着剤であり、一例としてモルタル。）を介して建物等の躯体外面へ接着した張り付け構造において、裏面の溝部におけるタイル張付け材及び空気の流動性を改善し、溝内に残る空気を少なくして、タイル張付け材の均一且つ密な充填を可能とし、タイル張付け材との接着強度がきわめて大きく、建物等の躯体外面から剥がれにくいタイルを実現することを課題とする。
【課題を解決するための手段】
【００１８】
本発明は上記課題を解決するために、上縁、左側縁、下縁及び右側縁で囲まれ、外形が、上下方向である縦方向より左右方向である横方向に長い長方形であり、裏面にタイル張付け材が充填される溝部が形成されたタイルであって、前記溝部は、横方向に直線的に延び、縦方向に間隔おいて互いに平行に形成され、横方向の両端において左側縁及び右側縁にそれぞれ開口した複数本の横溝と、上縁に最も近い最上部横溝から上縁のみに開口する、左上縁縦溝及び右上縁縦溝と、下縁に最も近い最下部横溝から下縁のみに開口し、左上縁縦溝及び右上縁縦溝から横方向にずれて形成された左下縁縦溝及び右下縁縦溝と、を有し、タイルの横方向中央を通り複数の横溝に直交する線を横中央線とした場合に、左上縁縦溝及び左下縁縦溝は、それぞれ横中央線より左側に形成されており、右上縁縦溝及び右下縁縦溝は、それぞれ横中央線より右側に形成されていることを特徴とするタイルを提供する。
【００１９】
本発明は上記課題を解決するために、上縁、左側縁、下縁及び右側縁で囲まれ、外形が、上下方向である縦方向より左右方向である横方向に長い長方形であり、裏面にタイル張付け材が充填される溝部が形成されたタイルであって、前記溝部は、横方向に直線的に延び、縦方向に間隔おいて互いに平行に形成され、横方向の両端において左側縁及び右側縁にそれぞれ開口した複数本の横溝と、上縁に最も近い最上部横溝から上縁のみに開口する、左上縁縦溝及び右上縁縦溝と、下縁に最も近い最下部横溝から下縁のみに開口し、左上縁縦溝及び右上縁縦溝から横方向にずれて形成された左下縁縦溝及び右下縁縦溝と、を有し、タイルの横方向中央を通り複数の横溝に直交する線を横中央線とした場合に、左上縁縦溝及び左下縁縦溝は、それぞれ横中央線より左側に形成されており、右上縁縦溝及び右下縁縦溝は、それぞれ横中央線より右側に形成されており、左上縁縦溝と右下縁縦溝は互いに横中央線を中心として左右対称位置に形成されており、右上縁縦溝と左下縁縦溝は互いに横中央線を中心として左右対称位置に形成されていることを特徴とするタイルを提供する。
【００２０】
上記タイルにおいては、最上部横溝と次に上縁に近い次位上部横溝とのみを互いに縦方向に連通する左上部次位縦溝及び右上部次位縦溝と、最下部横溝と次に下縁に近い次位下部横溝とのみを互いに縦方向に連通し、左上部次位縦溝及び右上部次位縦溝から横方向にずれて形成された左下部次位縦溝及び右下部次位縦溝と、を有し、左上部次位縦溝及び左下部次位縦溝は、それぞれ横中央線より左側に形成されており、右上部次位縦溝及び右下部次位縦溝は、それぞれ横中央線より右側に形成されている構成としてもよい。
【００２１】
上記タイルにおいては、左上部次位縦溝と右下部次位縦溝は互いに横中央線を中心として左右対称位置に形成されており、右上部次位縦溝と左下部次位縦溝は互いに横中央線を中心として左右対称位置に形成されている構成としてもよい。
【００２２】
上記タイルにおいては、タイルの縦方向中央を通り複数の横溝と平行する線を縦中央線とした場合に、縦中央線を挟んで最も近くの上下の位置に形成された２本の横溝のみを互いに縦方向に連通する左中部縦溝及び右中部縦溝と、を有し、左中部縦溝と右中部縦溝は、互いに横中央線を中心として左右対称位置に形成されている構成としてもよい。
【発明の効果】
【００２３】
本発明に係るタイルによれば、次のような効果が生じる。
（１）タイルの横幅（タイルの横方向の長さ、即ち、タイルの長さ）が比較的に大きい長細いタイルであっても、タイルを建物等の躯体外面へタイル張付け材を介して接着する張り付け構造において、タイル裏面の溝部におけるタイル張付け材及び空気の流動性が改善され、溝部及びタイル張付け材内に残存する空気が少なくなり、タイル張付け材の均一且つ密な充填が可能となり、この結果、タイル張付け材との接着強度がきわめて大きく、剥がれにくいタイル張り付け構造が得られる。
【００２４】
（２）タイルの裏面の溝の構成が簡単であり、プレスによる製造もし易い。
（３）タイルの厚さは、必要以上に厚くすることなく、従来通りの厚さで十分な強度が得られる。
（４）タイルの裏面に縦溝を適宜設けたので、地震の際に生じる水平方向の外力に対してだけでなく、垂直方向の外力に対しも、タイルの接着強度が向上する。
【発明を実施するための最良の形態】
【００２５】
本発明に係るタイルを実施するための最良の形態を実施例に基づき図面を参照して、以下説明する。
【００２６】
本発明に係るタイルは、上縁、左側縁、下縁及び右側縁で囲まれ、外形が、上下方向である縦方向より左右方向である横方向に長い長方形であり、タイルの裏面には、タイルを建物の躯体（コンクリート躯体）等に張り付ける際に、タイル張付け材が充填される溝部が形成されている。
【００２７】
タイルの張り付けの際に、タイル裏面を張り付けモルタルに押しつけると、この溝部に張り付けモルタルが充填されタイル張付け材との接着面積が増えて、タイル張付け材を介してタイルが張り付けられる構造である。
【００２８】
なお、本明細書では、「タイル張付け材」とは、タイルをタイル下地に張り付けるための接着剤であり一例としてはモルタル（「張り付けモルタル」と言う。）などがある。また、本発明及び本明細書では、説明の都合上、タイルの横方向中央（タイルの長辺の中央）を通り複数の横溝に直交する線（タイルの長辺に直交する線）を横中央線と言う。また、タイルの縦方向中央（タイルの短辺の中央）を通り複数の横溝と平行する線（タイルの長辺に平行する線）を縦中央線と言う。
【００２９】
本発明の特徴は、タイル裏面に形成された溝部の構成にある。タイル裏面に形成された溝部は、複数本の横溝と、複数本の横溝を部分的に結んで横断的に連通する縦方向の縦溝から構成されている。
【００３０】
複数本の横溝は、横方向に直線的に延び、上下方向に間隔おいて互いに平行に形成され、横方向の両端において左側縁及び右側縁にそれぞれ開口して形成されている。複数の横溝の本数は、タイルの大きさ（縦横寸法）、厚さ、裏面に形成する横溝の幅等の条件を考慮して設計すればよい。
【００３１】
本発明に係るタイルでは、縦溝については、少なくとも次のような構成を備えている。即ち、上縁に最も近い最上部横溝から上縁のみに開口する、左上縁縦溝及び右上縁縦溝と、下縁に最も近い最下部横溝から下縁のみに開口し、左上縁縦溝及び右上縁縦溝から横方向にずれて形成された左下縁縦溝及び右下縁縦溝と、を有し、左上縁縦溝及び左下縁縦溝は、それぞれ横中央線より左側に形成されており、右上縁縦溝及び右下縁縦溝は、それぞれ横中央線より右側に形成されており、左上縁縦溝と右下縁縦溝は互いに横中央線を中心として左右対称位置に形成されており、右上縁縦溝と左下縁縦溝は互いに横中央線を中心として左右対称位置に形成されている。なお、本発明では、「横中央線を中心として左右対称位置」は、横中央線を中心として左右対称の位置だけでなく、ほぼ左右対称の位置も含めるものとする。
【００３２】
また、本発明に係るタイルでは、複数の横溝の本数等の条件で、必要に応じて次のような縦溝を設ける。即ち、最上部横溝と次に上縁に近い次位上部溝とのみを互いに縦方向に連通する左上部次位縦溝及び右上次位連通縦溝と、最下部横溝と次に下縁に近い次位下部溝とのみを互いに縦方向に連通し、左上部次位縦溝及び右上部次位縦溝から横方向にずれて形成された左下部次位縦溝及び右下部次位縦溝と、を有し、 左上部次位縦溝及び左下部次位縦溝は、それぞれ横中央線より左側に形成されており、右上部次位縦溝及び右下部次位縦溝は、それぞれ横中央線より右側に形成されており、左上部次位縦溝と右下部次位縦溝は互いに横中央線を中心として左右対称位置に形成されており、右上部次位縦溝と左下部次位縦溝は互いに横中央線を中心として左右対称位置に形成されている。
【００３３】
さらに、縦中央線を挟んで上下の位置に形成された２本の横溝のみを互いに縦方向に連通する左中部縦溝及び右中部縦溝と、を有し、左中部縦溝と右中部縦溝は、互いに横中央線を中心として左右対称位置に形成されている。以上、本発明の最良の形態の基本的な構成を説明したが、さらに具体的な実施例を以下に説明する。
【実施例１】
【００３４】
本発明に係るタイルの実施例１の構成を図１において説明する。図１（ａ）は、本発明に係るタイル１の裏面を説明する平面図であり、図１（ｂ）は、Ａ−Ａ方向に見たタイル１の側面図である。この実施例１ではタイル１を張付ける躯体は、建物の躯体を例として説明するが、建物内のキッチン、浴室等、建物内外の壁や床に張付ける場合も、本発明のタイル自体の構成は同様である。
【００３５】
タイル１は、建物の躯体（例えば、コンクリートの躯体）２の外面にタイル下地３（建物の躯体表面の凹凸を均平化する層であり、例えば、モルタル下地、補修材等が使用される。）を形成し、このタイル下地３の表面にタイル張付け材として張り付けモルタル４を介して張り付けるものである（図３（ａ）参照）。
【００３６】
タイル１は、図１（ａ）に示すように、上縁５、左側縁６、下縁７及び右側縁８で囲まれた外形が長方形の形状をしており、陶磁器質の材料をプレスして形成される。なお、本実施例では、「タイル張付け材」としてはモルタル、即ち、「張り付けモルタル４」を使用する例で以下、説明するが、タイル張付け材はモルタルでなくても、接着剤、その他タイル下地３とタイルを接着するものであればよい。
【００３７】
タイル１は、図１（ａ）に示すように、タイル１の長辺である上縁５を横方向（左右方向）に向けて置いた場合に、裏面９に、張り付けモルタル４を充填可能な溝部１０が形成されている。この溝部１０は、上縁５に最も近い最上部横溝１１、次に上縁５に近い次位上部横溝１２、下縁７に最も近い最下部横溝１３、及び次に下縁７に近い次位下部横溝１４の４本の横溝を備えている。
【００３８】
これら４本の横溝１１〜１４は、それぞれタイル１の横方向（タイルの長辺の延びる方向）に延び、互いに上下方向に間隔をおいて平行に形成されており、それぞれ左右両端において左右の側縁６、８で開口している。左側縁６における開口を６’、右側縁８における開口を８’とする。
【００３９】
このように、タイル１の横方向に延び互いに平行な複数の横溝がタイルの裏面に形成されている構成自体は、従来の構成（特許文献１参照）と同じである。しかしながら、本発明のタイル１は、このようなタイル１の横方向に延びる互いに平行な複数の横溝１１〜１４がタイル１の裏面９に形成されている構成を前提として、以下に説明するような複数の縦溝が形成されている溝部１０を特徴とするものである。
【００４０】
実施例１、２説明では、タイル１の横方向における中心位置（タイル１の長辺の中心）を通り横方向（タイル１の長辺）に直交する線を「横中央線Ｘ」と言う。タイル１の縦方向における中心位置（タイル１の短辺の中心）を通り縦方向（タイル１の短辺）に直交する線を「縦中央線Ｙ」と言う。
【００４１】
タイル１では、最上部横溝１１から上縁５のみに開口する左上縁縦溝１６及び右上縁縦溝１７と、最下部横溝１３から下縁７のみに開口する左下縁縦溝１８及び右下縁縦溝１９が形成されている。左上縁縦溝１６及び右上縁縦溝１７と、左下縁縦溝１８及び右下縁縦溝１９とは、互いに横方向にずれて形成されている。上縁５における開口を５’、下縁７における開口を７’とする。
【００４２】
そして、左上縁縦溝１６及び左下縁縦溝１８は、それぞれ横中央線Ｘより左側に形成されており、右上縁縦溝１７及び右下縁縦溝１９は、それぞれ横中央線Ｘより右側に形成されている。
【００４３】
また、左上縁縦溝１６と右下縁縦溝１９は、互いに横中央線Ｘを中心として左右対称位置（ほぼ対称な位置も含む。）に形成されている。右上縁縦溝１７と左下縁縦溝１８は、互いに横中央線Ｘを中心として左右対称位置（ほぼ対称な位置も含む。）に形成されている。要するに、左上縁縦溝１６及び右上縁縦溝１７の組と左下縁縦溝１８及び右下縁縦溝１９の組は、互いに横中央線Ｘを中心として左右対称位置（ほぼ対称な位置も含む。）に形成されている。
【００４４】
なお、最上部横溝１１及び最下部横溝１３に、それぞれ縦溝を２つ設けたが、設計上、縦溝の個数を３つ以上設けることも考えられるが、縦溝の数が多くなると、タイルの強度が落ちる。     
【００４５】
最上部横溝１１と次位上部横溝１２とのみを互いに縦方向に連通する左上部次位縦溝２０及び右上部次位縦溝２１が、形成されている。最下部横溝１３と次位下部横溝１４とのみを互いに縦方向に連通する左下部次位縦溝２２及び右下部次位縦溝２３が形成されている。左上部次位縦溝２０及び右上部次位縦溝２１と、左下部次位縦溝２２及び右下部次位縦溝２３は、互いに横方向にずれて形成されている。
【００４６】
そして、左上部次位縦溝２０及び左下部次位縦溝２２は、それぞれ横中央線Ｘより左側に形成されており、右上部次位縦溝２１及び右下部次位縦溝２３は、それぞれ横中央線Ｘより右側に形成されている。また、左上部次位縦溝２０と右下部次位縦溝２３は互いに横中央線Ｘを中心として左右対称位置（ほぼ対称な位置も含む。）に形成されており、右上部次位縦溝２１と左下部次位縦溝２２は互いに横中央線Ｘを中心として左右対称位置（ほぼ対称な位置も含む。）に形成されている。
【００４７】
要するに、左上部次位縦溝２０及び右上部次位縦溝２１の組と、左下部次位縦溝２２及び右下部次位縦溝２３の組は、互いに横中央線Ｘを中心として左右対称位置（ほぼ対称な位置も含む。）に形成されている。
【００４８】
さらに、縦中央線Ｙを挟んで最も近くの上下の位置に形成された２本の横溝に相当する次位上部横溝１２と次位下部横溝１４のみを、互いに縦方向に連通する左中部縦溝２４及び右中部縦溝２５が形成されている。左中部縦溝２４と右中部縦溝２５は、互いに横中央線Ｘを中心として左右対称位置（ほぼ対称な位置も含む。）に形成されている。
【００４９】
本発明者は、すでに上記実施例１のタイルについて、外形寸法をいくつか変えて試作した。試作したタイルの外形寸法の一例を挙げると、タイルの横幅２２７０ｍｍ、縦幅６０ｍｍ、厚さ７ｍｍであり、裏面９に形成された横溝１１〜１４の溝幅７ｍｍ、縦溝２１〜２４の溝幅は５ｍｍである。
【００５０】
横溝１１〜１４の溝幅は互いに同じであり、また縦溝１６〜２５の溝幅は互いに同じである。そして、横溝１１〜１４及び縦溝１６〜２５の深さは、全て同じであることが好ましいが、異ならせてもよい。これらの横溝１１〜１４及び縦溝１６〜２５は、タイル１をプレスで製造する際に、陶磁器質の材料をプレスによって一括して形成される。
【００５１】
以上の実施例１では、タイル１の裏面９に形成される縦溝１６〜２５を図１（ａ）に示すように配置したが、縦溝は、タイル１の大きさ（縦横寸法）、厚さ、使用箇所等の条件を考慮して次の実施例１の変形例のように構成してもよい。
【００５２】
（変形例１）             
図２（ａ）は、実施例１の変形例１のタイルの裏面平面図を示す。この変形例１のタイル３０は、上記実施例１とほぼ同じ構成であるが、縦中央線Ｙを挟んで最も近くの上下の位置に形成された２本の横溝に相当する次位上部横溝１２と次位下部横溝１４とのみを互いに縦方向に連通する縦溝は形成されていない。
【００５３】
（変形例２）
図２（ｂ）は、実施例１の変形例２のタイル３１の裏面平面図を示す。この変形例２は、上記実施例１とほぼ同じ構成であるが、縦中央線Ｙを挟んで最も近くの上下の位置に形成された２本の横溝に相当する次位上部横溝１２と次位下部横溝１４とのみを互いに縦方向に連通する縦溝として、左中部縦溝２４及び右中部縦溝２５に加えて、さらに横中央線Ｘの位置に中央部縦溝３２が形成されている。
【００５４】
（変形例３）
図２（ｃ）は、実施例１の変形例３のタイルの裏面平面図を示す。この変形例３のタイル３３は、上記実施例１とほぼ同じ構成であるが、最上部横溝１１と次位上部横溝１２とのみを互いに縦方向に連通する縦溝として、左上部次位縦溝２０と右上部次位縦溝２１の中間に、さらに上部中央次位縦溝３４が形成されている。
【００５５】
また、最下部横溝１３と次位下部横溝１４とのみを互いに縦方向に連通する縦溝として、左下部次位縦溝２２と右下部次位縦溝２３との間に下部中央次位縦溝３５が形成されている。上部中央次位縦溝３４と下部中央次位縦溝３５は、横中央線Ｘを中心にして左右対称位置（ほぼ対称な位置も含む。）に形成されている。
【００５６】
（実施例１の作用）
本発明の上記実施例１のタイル１の作用について説明する。図３（ａ）は、タイル１を建物の躯体の外面に張り付ける際の、張り付け前後の構造を示す図である。タイル１の張り付け作業では、図３（ａ）に示すように、建物の躯体２（例えば、コンクリートの躯体）にタイル下地３を形成し、その上に、張り付けモルタル４を塗布し、その表面にタイル１を裏面９から押し当てて、張り付けモルタル４を介してタイル１を張り付けていく。
【００５７】
実際は、図３（ｂ）に示すように、実施例のタイル１を、例えば、縦横３列づつ、合計９つを一群とし、その表面において台紙３６に貼り付け、これら一群のタイル１をその裏面９から張り付けモルタル４の表面に押し当てて張り付ける。
【００５８】
このようにして、張り付けモルタル４の表面に、タイル１をその裏面９から押し当てていく（図３（ａ）の左図参照）と、張り付けモルタル４は、横溝１１〜１４内に入り込む（図３（ａ）の右図参照）とともに、縦溝１６〜２５（図１（ａ）参照）内にも入り込む。このような作業では、溝部１０内には、余剰の張り付けモルタル４が生じたり、空気（混入空気）が滞留したりしがちである。
【００５９】
特に、タイル１の横幅（タイルの横方向の長さ、即ち、タイルの長辺の長さ）が比較的大きな長細いタイルの横方向の中央部の領域では、左右側縁における開口６’、８’に遠いために、横溝１１〜１４における張り付けモルタル４の余剰分が滞留したり、空気が残留しやすく、タイル９の裏面全体からみると、張り付けモルタルの充填について、ばらつきが生じやすく、また空気が残留して充填密度が低下する。
【００６０】
しかしながら、本発明のタイル１は、左上縁縦溝１６及び右上縁縦溝１７と、左下縁縦溝１８及び右下縁縦溝１９を設け、しかも、左上縁縦溝１６及び左下縁縦溝１８を横中央線Ｘの左側に設け、右上縁縦溝１７及び右下縁縦溝１９を横中央線Ｘの右側に設け、さらに、左上縁縦溝１６と右下縁縦溝１９とを横中央線Ｘを中心にして互いに左右対称位置に形成し、右上縁縦溝１６と左下縁縦溝１９とを横中央線Ｘを中心にして互いに左右対称位置に形成したので、タイルの横幅が比較的大きくなっても、最上部横溝１１及び最下部横溝１３から外部に、モルタル４の余剰分が排出しやすくなり、また空気の流通性が良くなり排気性を高まる。
【００６１】
即ち、張り付けモルタル４の余剰分及び空気は、溝部１０内を適宜流動し、横溝１１〜１４の左右側端縁６、８における開口６’、８’から外部へ流出されるとともに、左上縁縦溝１６及び右上縁縦溝１７から上縁５の開口５’を通して外部に流出するとともに、左下縁縦溝１８及び右下縁縦溝１９から下縁７の開口７’を通して外部に流出し、タイルの横幅が大きくなっても、最上部横溝１１及び最下部横溝１３内の張り付けモルタル及び空気の流動性は阻害されない。
【００６２】
また、左上縁縦溝１６及び右上縁縦溝１７と左下縁縦溝１８及び右下縁縦溝１９とを横方向にずらして設けたので、タイル裏面全体からみると、張り付けモルタルが均等に充填される。
【００６３】
さらに、左上部次位縦溝２０及び右上部次位縦溝２１と、左下部次位縦溝２２及び右下部次位縦溝２３とを互いに横中央線Ｘを中心にして対称位置で、しかも左上縁縦溝１６及び右上縁縦溝１７と、左下縁縦溝１８及び右下縁縦溝１９とを横方向にずらして設けたので、最上部横溝１１及び最下部横溝１３と、次位上部横溝１２及び次位下部横溝１４との間のモルタル及び空気の流動性が良なり、余剰分の張り付けモルタル及び空気が最上部横溝１１及び最下部横溝１３側に流動し、左上縁縦溝１６及び右上縁縦溝１７、左下縁縦溝１８及び右下縁縦溝１９から外部に流出しやすくなる。
【００６４】
従って、タイル１の裏面９の中央部において、タイル１の裏面９の横溝１１〜１４内部における空気の残留を少なくすることができる。これにより、裏面９の中央部において、張り付けモルタル４は、ばらつくことなく均等且つ密に充填され、また、タイル裏面全体からみても、張り付けモルタルが均等に充填される。この結果タイル１は、張り付けモルタル４によって、建物の躯体２にタイル下地３を介して均等且つ強固に付着可能となる。
【００６５】
さらに、溝部１０内を流動する余剰な張り付けモルタル４が、左上縁縦溝１６及び右上縁縦溝１７、並びに左下縁縦溝１８及び右下縁縦溝１９から、上縁及び下縁の開口５’、７’から外部に流れ出し、上縁５及び下縁７に沿って流れる。
【００６６】
この結果、横溝１１〜１４の開口６’、８’から外部に流れ出し、左右側縁６、８に沿って流れる余剰の張り付けモルタル４とともに、タイル１の外周囲を囲うようにタイル１の周縁に付着するので、この点からも強力な接着が可能となる。この場合、タイル１の裏面９の外周囲に面取り部３７が形成されていると（図１（ｂ）、図３（ａ）参照）、面取り部３７内に余剰な張り付けモルタル４が入り込み、より強力に接着される。
【００６７】
また、張り付けモルタルは、横溝だけでなく縦溝にも充填されるので、従来のように、横方向に長い接着部が形成されるだけでなく、縦方向にも接着部が形成されるから、地震等の際に生じる、水平方向の外力だけでなく、垂直方向の外力に対しても、強度が向上することとなる。
【００６８】
以上、実施例１及びその変形例１〜３を説明したが、これらのタイル１では、その裏面９に４本の横溝１１〜１４が形成されているが、複数の横溝の本数、幅、深さ等は、タイルの大きさ（縦横寸法）、厚さ、使用箇所等の条件を考慮して設計されるものである。この横溝の本数を変えた構成例として、次に実施例２及びその変形例１〜２を挙げておく。
【実施例２】
【００６９】
図４（ａ）は、実施例２のタイルの裏面平面図を示す。この実施例２のタイル４０は、実施例１とは基本的に同じ技術思想に基づくものであるが、横溝の本数が２本である点で異なる。実施例２においては、実施例１と共通する構成の説明は特にしないが、実施例２の説明の都合上、特に必要な共通の構成については同じ符号を使用する。
【００７０】
実施例２のタイル４０では、最上部横溝１１と最下部横溝１３の２本の横溝のみが形成されている。横中央線Ｘの左右において、最上部横溝１１から上縁５のみに開口する左上縁縦溝１６及び右上縁縦溝１７が形成されている。また、横中央線Ｘの左右において、最下部横溝１３から下縁７のみに開口する左下縁縦溝１８及び右下縁縦溝１９が形成されている。左上縁縦溝１６及び右上縁縦溝１７と、左下縁縦溝１８及び右下縁縦溝１９は、互いに横方向にずれて形成されている。
【００７１】
左上縁縦溝１６と右下縁縦溝１９は、互いに横中央線Ｘを中心として左右対称位置に形成されており、右上縁縦溝１７と左下縁縦溝１８は互いに横中央線Ｘを中心として左右対称位置に形成されている。ところで、最上部横溝１１と最下部横溝１３は、タイルの縦中央線Ｙを挟んで最も近くの上下に位置する横溝に相当するが、このような最上部横溝１１と最下部横溝１３を互いに連通する左中部縦溝４１と右中部縦溝４２が、互いに横中央線Ｘを中心にして対称位置（ほぼ対称な位置も含む。）に形成されている。
【００７２】
（実施例２の変形例１）
図４（ｂ）は、実施例２の変形例１のタイルの裏面平面図を示す。この変形例１のタイル４５は、実施例２とほぼ同じであるが、縦溝として、左中部縦溝４１及び右中部縦溝４２に加えて、それらの間に、さらに中央縦溝４６が形成されている。これにより、実施例２よりさらに、タイル４５の裏面中央部における張り付けモルタル及び空気の流動性を改善している。
【００７３】
（実施例２の変形例２）
図４（ｃ）は、実施例２の変形例２のタイルの裏面平面図を示す。この変形例２のタイル４７は、実施例２とほぼ同じであるが、最上部横溝１１と最下部横溝１３とを互いに連通する縦溝が形成されていない構成である。タイルの強度や製造コストの観点からみると、縦溝の数は少ない方がよい。
【００７４】
しかし、タイルの横幅（タイルの横方向の長さ、即ち、長辺の長さ）の寸法がより大きくなると、最上部横溝１１と最下部横溝１３から上縁５及び下縁７に開口する縦溝は、２つ必要であるが、その場合でも横溝の本数が２本と少ない場合では、この変形例２のタイル４７とおり、最上部横溝１１と最下部横溝１３を連通する縦溝は不要であるとした構成としてもよい。
【００７５】
以上、本発明に係るタイルを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７６】
本発明に係るタイルは、上記のような構成であるから、建物の外壁の躯体の外装用のタイル１だけでなく、キッチン、浴室等建物内外の壁や床の外装や、その他陶磁器質タイル全般を意匠として張り付ける各種の構造物に適用可能である。
【図面の簡単な説明】
【００７７】
【図１】実施例１のタイルを説明する図であり、（ａ）はタイルの裏面の平面図であり、（ｂ）はタイルのＡ−Ａ方向に見た側面図である。
【図２】（ａ）〜（ｃ）は、それぞれ本発明の実施例１の変形例１〜３のタイルの裏面の平面図である。
【図３】（ａ）は本発明の実施例１のタイルの貼り付け構造を説明する断面図であり、（ｂ）は台紙に貼り付けた本発明の実施例１のタイルの一群の裏面を示す平面図である。
【図４】（ａ）は、本発明の実施例２のタイルの裏面の平面図であり、（ｂ）、（ｃ）は、それぞれ実施例２の変形例１、２のタイルの裏面の平面図である。
【符号の説明】
【００７８】
１  タイル                                                       
２  建物の躯体（例えば、コンクリート躯体）                       
３  タイル下地                                                   
４  張り付けモルタル                                             
５  上縁                                                         
６  左側縁                                                       
６’  横溝の左側縁における開口                         
７  下縁                                                         
８  右側縁                                                       
８’  横溝の右側縁における開口                         
９  タイルの裏面                                                 
１０  溝部                                                       
１１  最上部横溝                                                 
１２  次位上部横溝                                                 
１３  最下部横溝                                                 
１４  次位下部横溝
１６  左上縁縦溝                             
１７  右上縁縦溝                             
１８  左下縁縦溝                             
１９  右下縁縦溝                             
２０  左上部次位縦溝                           
２１  右上部次位縦溝                         
２２  左下部次位縦溝                         
２３  右下部次位縦溝                         
２４  左中部縦溝                             
２５  右中部縦溝                             
３０  実施例１の変形例１のタイル             
３１  実施例１の変形例２のタイル             
３２  中央部縦溝                             
３３  実施例１の変形例３のタイル                                 
３４  上部中央次位縦溝                       
３５  下部中央次位縦溝 
３６  台紙                         
３７  面取り部                     
４０  実施例２のタイル             
４１  左中部縦溝                   
４２  右中部縦溝                   
４５  実施例２の変形例１のタイル   
４６  中央縦溝                     
４７  実施例２の変形例２のタイル   
Ｘ  横中央線（長辺の中央を通る中心線）                                      
Ｙ  縦中央線（短辺の中央を通る中心線） 
【図１】
2010047915.tif 000003
【図２】
2010047915.tif 000004
【図３】
2010047915.tif 000005
【図４】
2010047915.tif 000006